(57)【要約】【課題】単板式の撮像部を持つカメラ本体における３板式の撮像部用のレンズの使用環境の向上を図る。【解決手段】カメラ本体は、単板式の撮像部を持っている。カメラ本体の前部のレンズマウント部には、マウントアダプタを介して、３板式の撮像部用のレンズの取り付けが可能とされている。ハンドル取り付け部により、カメラ本体の上部に、ハンドルが取り付けられる。ハンドルは、前後方向に移動可能に取り付けられる。カメラ本体は単板式の撮像部を持つものであるが、３板式の撮像部用のレンズを取り付けて使用できる。３板式の撮像部用のレンズを取り付けた場合の例えば重心の変化に合わせてハンドルの位置を移動できる。【選択図】図３
2014204255.tif 000002
【特許請求の範囲】
【請求項１】
単板式の撮像部を持つカメラ本体と、
上記カメラ本体の上部にハンドルを取り付けるためのハンドル取付け部とを備え、
上記カメラ本体の前部のレンズマウント部には、マウントアダプタを介して３板式の撮像部用のレンズの取り付けが可能とされ、
上記ハンドル取り付け部は、上記カメラ本体の上部に、上記ハンドルを前後方向に移動可能に取り付ける
カメラ装置。
【請求項２】
上記ハンドル取り付け部は、上記ハンドルの上記前後方向の位置を任意の位置に固定するロック機構を有する
請求項１に記載のカメラ装置。
【請求項３】
上記ハンドルは、ビューファインダを取り付けるためのビューファインダ取り付け部を有する
請求項１に記載のカメラ装置。
【請求項４】
上記カメラ本体の下部にショルダアダプタを取り付けるためのショルダアダプタ取り付け部をさらに備え、
上記ショルダアダプタ取り付け部は、上記カメラ本体の下部に、上記ショルダアダプタを上記前後方向に移動可能に取り付ける
請求項１に記載のカメラ装置。
【請求項５】
上記ショルダアダプタに前方向に突出するように設けられた棒状部分を利用して上記マウントアダプタを支持する支持機構をさらに備える
請求項４に記載のカメラ装置。
【請求項６】
上記マウントアダプタは、
上記３板式の撮像部用のレンズから入射される光線を上記カメラ本体が持つ上記単板式の撮像部に導くレンズユニットと、
上記光線の光量を調整するための所定種類のフィルタを持つフィルタディスクユニットを有する
請求項１に記載のカメラ装置。
【請求項７】
単板式の撮像部を持つカメラ本体の前部のレンズマウンド部に接続するための第１のマウント部と、
３板式の撮像部用のレンズを接続するための第２のマウント部と、
上記第２のマウント部に入射される光線を上記第１のマウント部から出射させるレンズユニットとを備える
マウントアダプタ。
【請求項８】
上記第２のマウント部に入射された光線の光量を調整するための所定種類のフィルタを持つフィルタディスクユニットをさらに備える
請求項７に記載のマウントアダプタ。
【請求項９】
上記第１のマウント部はＦＺマウントであり、上記第２のマウントはＢ４マウントである
請求項７に記載のマウントアダプタ。
【請求項１０】
単板式の撮像部を持つカメラ本体と、
３板式の撮像部用のレンズと、
上記カメラ本体と上記レンズとの間に介在されるマウントアダプタとを備える
カメラ装置。
【発明の詳細な説明】
【技術分野】
【０００１】
本技術は、カメラ装置およびマウントアダプタに関し、詳しくは、ハンドルを備えるカメラ装置などに関する。
【背景技術】
【０００２】
従来、カメラ装置としてハンドルを備える可搬式のカメラ装置が知られている。この場合、カメラ装置それぞれの重心やレンズマウントの種類に合わせて、ハンドルのグリップ位置やビューファインダ（ＶＦ）取り付け位置を最適化した固定ハンドル形状に設計することが広く行われている。
【０００３】
しかし、このように固定ハンドルとした場合、カメラに取り付ける周辺機器の種類や位置の違いによって生じる重心やビューファインダの最適取り付け位置の変化に対応することが困難であった。
【０００４】
そこで、従来、大型のハンドルや着脱式の別ハンドルを設けることが提案されている。しかし、大型ハンドルは、使用しない場合に邪魔となる。また、別ハンドルは、着脱に手間がかかり、細かな重心やビューファインダ取り付け位置の違いへの対応が難しかった。
【０００５】
一方、従来、例えば、特許文献１などに記載されるように、ハンドルをカメラに移動可能に取り付けることも提案されている。この場合、上述したハンドルを固定する場合における不都合を回避することが可能となる。
【先行技術文献】
【特許文献】
【０００６】
【特許文献１】特開２００７−３３５９９０号公報
【発明の概要】
【発明が解決しようとする課題】
【０００７】
本技術の目的は、単板式の撮像部を持つカメラ本体における３板式の撮像部用のレンズの使用環境の向上を図ることにある。
【課題を解決するための手段】
【０００８】
本技術の概念は、
単板式の撮像部を持つカメラ本体と、
上記カメラ本体の上部にハンドルを取り付けるためのハンドル取付け部とを備え、
上記カメラ本体の前部のレンズマウント部には、マウントアダプタを介して３板式の撮像部用のレンズの取り付けが可能とされ、
上記ハンドル取り付け部は、上記カメラ本体の上部に、上記ハンドルを前後方向に移動可能に取り付ける
カメラ装置にある
【０００９】
本技術において、カメラ本体は、単板式の撮像部を持っている。この単板式の撮像部は、カラーフィルタを装備した１枚のイメージセンサが使用されて構成された撮像部である。カメラ本体の前部のレンズマウント部には、マウントアダプタを介して、３板式の撮像部用のレンズの取り付けが可能とされている。この３板式の撮像部は、３原色それぞれで専用のイメージセンサが使用されて構成された撮像部である。
【００１０】
ハンドル取り付け部により、カメラ本体の上部に、ハンドルが取り付けられる。この場合、ハンドルは、前後方向に移動可能に取り付けられる。例えば、ハンドル取り付け部は、ハンドルの前後方向の位置を任意の位置に固定するロック機構を有する、ようにされてもよい。また、例えば、ハンドルは、ビューファインダを取り付けるためのビューファインダ取り付け部を有する、ようにされてもよい。
【００１１】
このように本技術においては、カメラ本体は単板式の撮像部を持つものであるが、カメラ本体の前部のレンズマウント部にマウントアダプタを介して３板式の撮像部用のレンズを取り付けて使用できる。また、ハンドルは前後方向に移動可能にカメラ本体に取り付けられるものであり、３板式の撮像部用のレンズを取り付けた場合の例えば重心の変化に合わせてハンドルの位置を移動できる。したがって、単板式の撮像部を持つカメラ本体における３板式の撮像部用のレンズの使用環境の向上を図ることが可能となる。
【００１２】
なお、本技術において、例えば、カメラ本体の下部にショルダアダプタを取り付けるためのショルダアダプタ取り付け部をさらに備え、ショルダアダプタ取り付け部は、カメラ本体の下部に、ショルダアダプタを前後方向に移動可能に取り付ける、ようにされてもよい。この場合、３板式の撮像部用のレンズを取り付けた場合の例えば重心の変化、あるいはビューファインダの位置変化などに合わせてショルダアダプタの位置を最適な位置に調整することが可能となる。
【００１３】
また、本技術において、例えば、ショルダアダプタに前方向に突出するように設けられた棒状部分を利用してマウントアダプタを支持する支持機構をさらに備える、ようにされてもよい。この場合、カメラ本体にマウントアダプタを介して３板式の撮像部用のレンズを取り付ける構造にあって、レンズをマウントアダプタのみで支えるのではなく支持機構によっても支えるものであり、マウントアダプタの疲労、破損などを未然に防止することが可能となる。
【００１４】
また、本技術において、例えば、マウントアダプタは、３板式の撮像部用のレンズから入射される光線をカメラ本体が持つ単板式の撮像部に導くレンズユニットと、光線の光量を調整するための所定種類のフィルタを持つフィルタディスクユニットを有する、ようにされてもよい。この場合、レンズユニットは、単板式の撮像部のイメージセンサに焦点が結ぶように焦点距離を調整すること、イメージセンサに結像される像のサイズを調整すること、などの機能を持つ。マウントアダプタがフィルタディスクユニットを有するものであることから、このアダプタユニットにおいて光量調整を行うことが可能となる。
【００１５】
また、本技術の他の概念は、
単板式の撮像部を持つカメラ本体の前部のレンズマウンド部に接続するための第１のマウント部と、
３板式の撮像部用のレンズを接続するための第２のマウント部と、
上記第２のマウント部に入射される光線を上記第１のマウント部から出射させるレンズユニットとを備える
マウントアダプタにある。
【００１６】
本技術において、単板式の撮像部を持つカメラ本体の前部のレンズマウンド部に接続するための第１のマウント部を備えるものとされる。この単板式の撮像部は、カラーフィルタを装備した１枚のイメージセンサが使用されて構成された撮像部である。また、本技術において、３板式の撮像部用のレンズを接続するための第２のマウント部を備えるものとされる。例えば、第１のマウント部はＦＺマウントであり、第２のマウントはＢ４マウントである、ようにされてもよい。
【００１７】
そして、レンズユニットにより、第２のマウント部に入射される光線を第１のマウント部から出射させるようにされる。この場合、レンズユニットは、単板式の撮像部のイメージセンサに焦点が結ぶように焦点距離を調整すること、イメージセンサに結像される像のサイズを調整すること、などの機能を持つ。
【００１８】
このように本技術においては、第１のマウント部と第２のマウント部とを備え、それらの間がレンズユニットにより光学的に接続された構成であり、単板式の撮像部を持つカメラ本体に３板式の撮像部用のレンズを取り付けて使用することが可能となる。
【００１９】
なお、本技術において、例えば、第２のマウント部に入射された光線の光量を調整するための所定種類のフィルタを持つフィルタディスクユニットをさらに備える、ようにされてもよい。このようにマウントアダプタが備えられることで、光量調整を行うことが可能となる。
【発明の効果】
【００２０】
本技術によれば、単板式の撮像部を持つカメラ本体における３板式の撮像部用のレンズの使用環境の向上を図ることができる。なお、本明細書に記載された効果はあくまで例示であって限定されるものではなく、また付加的な効果があってもよい。
【図面の簡単な説明】
【００２１】
【図１】実施の形態としてのカメラ装置を前方斜め上方向から見た斜視図である。
【図２】実施の形態としてのカメラ装置を前方斜め上方向から見た斜視図（ビューファインダを取り外した状態）である。
【図３】実施の形態としてのカメラ装置を前方斜め上方向から見た分解斜視図である。
【図４】実施の形態としてのカメラ装置の左側面図である。
【図５】実施の形態としてのカメラ装置の右側面図である。
【図６】実施の形態としてのカメラ装置の上面図である。
【図７】実施の形態としてのカメラ装置の正面図である。
【図８】マウントアダプタの構成（筐体を取り外した状態）を概略的に示す図である。
【図９】フィルタディスクユニットを正面方向から見た図であり、左側半分を光軸方向とは直交する方向に切断した状態で示す図である。
【図１０】レンズ側、カメラ側、さらにその間に挿入されるマウントアダプタの光学系を概略的に示す図である。
【図１１】比較例としてのカメラ装置を前方斜め上方向から見た斜視図である。
【図１２】比較例としてのカメラ装置の左側面図である。
【図１３】比較例としてのカメラ装置の右側面図である。
【図１４】比較例としてのカメラ装置の上面図である。
【図１５】比較例としてのカメラ装置の正面図である。
【発明を実施するための形態】
【００２２】
以下、発明を実施するための形態（以下、「実施の形態」とする）について説明する。なお、説明を以下の順序で行う。
１．実施の形態
２．変形例
【００２３】
＜１．実施の形態＞
［カメラ装置の構成例］
図１乃至図７は、実施の形態としてのカメラ装置１０の構成例を示している。このカメラ装置１０は、カメラ本体１１０と、ハンドル１２０と、ビューファインダ１３０と、ショルダアダプタ１４０と、マウントアダプタ１５０と、レンズ１６０を有している。
【００２４】
図１は、カメラ装置１０を前方斜め上方向から見た斜視図である。図２も、カメラ装置１０を前方斜め上方向から見た斜視図である。しかし、この図は、ビューファインダ１３０を取り外した状態を示している。図３は、カメラ装置１０を前方斜め上方向から見た分解斜視図である。図４は、カメラ装置１０の左側面図である。図５は、カメラ装置１０の右側面図である。図６は、カメラ装置１０の上面図である。図７は、カメラ装置１０の正面図である。
【００２５】
カメラ本体１１０は、単板式の撮像部を持っている。この単板式の撮像部は、図示は省略するが、カラーフィルタを装備した１枚のイメージセンサが使用されて構成された撮像部である。例えば、このイメージセンサとして３５mmサイズのものが配置されている。このようにイメージセンサのサイズを３５mmとすることで、３５mmフィルムを用いる場合と同一の被写界深度が得られる。そのため、ユーザは、３５mmフィルムを用いる場合と同一の感覚で撮影を行うことが可能となる。
【００２６】
ハンドル１２０は、ユーザによるカメラ装置１０の搬送便宜のため、カメラ本体１１０の上部に取り付けられている。このハンドル１２０は、カメラ本体１１０に固定されたハンドル取り付け部１２１により、カメラ本体１１０の上部に、前後方向（光軸方向）に移動可能に取り付けられている。
【００２７】
ハンドル取り付け部１２１には、カメラ本体１１０の上部において、前方の伸びる棒状部材１２２が設けられている。この棒状部材１２２がハンドル１２０の上部に前後方向に伸びるように設けられた穴部に挿入されることで、ハンドル１２０は、カメラ本体１１０に対して、前後方向に移動可能に取り付けられている。
【００２８】
ハンドル１２０は、このハンドル１２０の側面に設けられたハンドルスライドロックレバー１２３を操作することで、ハンドル１２０を任意の位置に固定し、あるいは、移動可能な状態とすることができる。図示のハンドルスライドロックレバー１２３の位置はハンドル１２０の位置を固定する状態を示している。
【００２９】
このハンドルスライドロックレバー１２３の位置を、図１に示す位置から反時計方向に回動させることで、ハンドル１２０の位置固定状態が解除され、ハンドル１２０は棒状部材１２２に沿って前後方向に移動可能になる。これにより、ユーザは、カメラ装置１０の重心位置などに応じた適宜な位置にハンドル１２０を移動調整でき、その位置に固定できる。このハンドルスライドロックレバー１２３は、ロック機構を構成している。
【００３０】
ハンドル１２０の前部には、１２８が設けられている。このビューファインダ取り付け部１２８には、Ｌ字部材１２４の一方が、ハンドル１２０の移動方向（光軸方向）と直交する方向に移動可能に取り付けられる。そして、このＬ字部材１２４の他方には、ビューファインダ１３０が取り付けられる。すなわち、ビューファインダ１３０は、Ｌ字部材１２４を介してハンドル１２０に取り付けられている。
【００３１】
ユーザは、ビューファインダ１３０が取り付けられたＬ字部材１２４をハンドル１２０の移動方向とは直交する方向に移動させることで、ビューファインダ１３０のアイカップ位置をユーザにとって最適な位置に調整できる。ユーザは、Ｌ字部材１２４の一方に設けられた締め付け部１２５を操作することで、その調整位置に固定することができる。
【００３２】
レンズ１６０は、３板式の撮像部用のレンズである。ここで、３板式の撮像部は、３原色それぞれで専用のイメージセンサが使用されて構成された撮像部である。例えば、各イメージセンサのサイズは２／３インチである。このレンズ１６０は、本来、３板式の撮像部を持つカメラ本体の前部のレンズマウント部に直接接続されて使用されるものである。マウントアダプタ１５０は、このレンズ１６０を、単板式の撮像部を持つカメラ本体１１０の前部のレンズマウント部１１１に取り付けるために使用される。すなわち、レンズ１６０は、マウントアダプタ１５０を介して、カメラ本体１１０に取り付けられる。
【００３３】
レンズ１６０には、スイッチなどの種々の操作子を持つグリップ部１６１が取り付けられている。ユーザは、このグリップ部１６１により右手をレンズ位置に固定し、スイッチなどの操作によりフォーカス調整、絞り調整、ズーム調整などを行うことが可能とされている。
【００３４】
マウントアダプタ１５０は、レンズ１６０をカメラ本体１１０に接続する機能を持つ。さらに、このマウントアダプタ１５０は、３板式の撮像部用のレンズ１６０を用いた場合に、単板式の撮像部のイメージセンサに焦点を結ぶように焦点距離を調整すること、そのイメージセンサに結像される像のサイズを調整すること、などの機能を持っている。
【００３５】
図８は、マウントアダプタ１５０の構成（筐体を取り外した状態）を概略的に示している。マウントアダプタ１５０は、光軸方向の一端に、カメラ本体１１０の前部のレンズマウント部１１１に接続するためのマウント部（第１のマウント部）１５１を備えている。例えば、このマウント部１５１は、ＦＺマウント（FZ MOUNT）とされている。また、マウントアダプタ１５０は、光軸方向の他端に、レンズ１６０を接続するためのマウント部（第２のマウント部）１５２を備えている。例えば、このマウント部１５２は、Ｂ４マウント（B4 MOUNT）とされている。
【００３６】
また、マウントアダプタ１５０の内部には、レンズユニット１５３とフィルタディスクユニット１５４とが、光軸方向に、直列的に配置されている。レンズユニット１５３は、マウント部１５２に入射された光線を、マウント部１５１から出射させる。このレンズユニット１５３が、上述したように、単板式の撮像部のイメージセンサに焦点距離を調整すること、そのイメージセンサに結像される像のサイズを調整すること、などの機能を持っている。
【００３７】
フィルタディスクユニット１５４は、マウント部１５２に入射される光線の光量を調整可能に構成されている。このフィルタディスクユニット１５４は、サーボモータ１５４ａと、ターレット回転機構１５４ｂとから構成されている。サーボモータ１５４ａによりターレット回転機構１５４ｂ内のディスクが回転駆動されることで、レンズユニット１５３の前の光軸上に位置するフィルタの変更が可能とされている。
【００３８】
図９は、フィルタディスクユニット１５４を正面方向から見た図であり、左側半分を光軸方向とは直交する方向に切断した状態で示している。ターレット回転機構１５４ｂを構成するディスク１５４ｃの周方向に所定数（図には１個のみ示されている）のフィルタ１５４ｄが取り付けられている。ユーザが押しボタン１５４ｅを押圧することで、サーボモータ１５４ａにより、ディスク１５４ｃが回転駆動され、光軸上に位置するフィルタ１５４ｄが変更される。
【００３９】
図１０は、レンズ側、カメラ側、さらにその間に挿入されるマウントアダプタ１５０の光学系を概略的に示している。図示のように、マウントアダプタ１５０の光学系は、拡大光学系とされている。この場合の光学設計としては、前群が凹、後群が凸になるのが基本構成となっていて、全長を長めにして、レンズの構成枚数を多めにすることで、明るいレンズに対応しながら解像度を上げている。
【００４０】
ショルダアダプタ１４０は、カメラ本体１１０の下部に一体的に固定されたショルダアダプタ取り付け部１２６により、カメラ本体１１０の下部に、前後方向（光軸方向）に移動可能に取り付けられている。ユーザは、上述したハンドル１２０の移動調整によるビューファインダ１３０の位置変化に応じて、ショルダアダプタ１４０の位置をユーザにとって最適な位置に移動調整できる。
【００４１】
このショルダアダプタ１４０の前部には、図示のように、前方向に伸びる２本の棒状部材（ポール）１２７の取り付けが可能とされている。この棒状部材１２７は、例えば、フォーカス調整、絞り調整などを行うためのアタッチメントを取り付けるために使用できるものである。この実施の形態では、この棒状部材１２７は、上述したマウントアダプタ１５０を支えるために使用されている。
【００４２】
すなわち、マウントアダプタ１５０の筐体の下部には、支持部１５４ｆが連接されている。この支持部１５４ｆは下部にいくほど広がる形状となっており、下端側に２つの開口部１５４ｇが穿設されている。この２つの開口部１５４ｇに、上述の２本の棒状部材１２７が挿通される。このような構成とされることで、ショルダアダプタ１４０に設けられた２本の棒状部材１２７により、マウントアダプタ１５０が支持される。ここで、支持部１５４ｆは、支持機構を構成する。なお、この支持部１５４ｆは、必ずしも、マウントアダプタ１５０の筐体と一体的になっている必要はなく、別体として構成することも可能である。
【００４３】
なお、図１１乃至図１５は、上述したカメラ装置１０に対する比較例としてのカメラ装置２０の構成例を示している。これらの図において、上述の図１乃至図７と対応する部分には同一符号を付し、その詳細説明は省略する。このカメラ装置２０は、カメラ本体１１０と、ハンドル１２０と、ビューファインダ１３０と、ショルダアダプタ１４０と、レンズ１８０を有している。
【００４４】
図１１は、カメラ装置２０を前方斜め上方向から見た斜視図である。図１２は、カメラ装置２０の左側面図である。図１３は、カメラ装置２０の右側面図である。図１４は、カメラ装置２０の上面図である。図１５は、カメラ装置２０の正面図である。
【００４５】
レンズ１８０は、単板式の撮像部用のレンズである。すなわち、カメラ装置２０では、上述のカメラ装置１０とは異なり、単板式の撮像部用のレンズが使用されている。このレンズ１８０は、カメラ本体１１０の前部のレンズマウント部に直接接続されている。つまり、カメラ本体１１０とレンズ１８０との間には、上述のカメラ装置１０におけるマウントアダプタ１５０などは存在しない。
【００４６】
このカメラ装置２０においては、上述のカメラ装置１０に比べて重心は後方移ることから、ハンドル１２０の位置も後方に移動調整されている。また、このハンドル１２０に取り付けられているビューファインダ１３０の位置に応じて、ショルダアダプタ１４０も後方に移動調整されている。
エラー!リンクが正しくありません。  上述したカメラ装置１０においては、カメラ本体１１０は単板式の撮像部を持つものであるが、カメラ本体１１０の前部のレンズマウント部１１１にマウントアダプタ１５０を介して３板式の撮像部用のレンズ１６０を取り付けて使用できる。また、ハンドル１２０は前後方向（光軸方向）に移動可能にカメラ本体１１０に取り付けられるものであり、３板式の撮像部用のレンズ１６０を取り付けた場合の例えば重心の変化に合わせてハンドル１２０の位置を移動できる。したがって、例えば、単板式の撮像部を持つカメラ本体１１０における３板式の撮像部用のレンズ１６０の使用環境の向上を図ることが可能となる。
【００４７】
また、上述したカメラ装置１０においては、カメラ本体１１０の下部に、ショルダアダプタ１４０が前後方向（光軸方向）に移動可能に取り付けられる。そのため、例えば、３板式の撮像部用のレンズ１６０を取り付けた場合の例えば重心の変化などに合わせてハンドル１２０の位置、従ってビューファインダ１３０の位置が移動された場合に、ショルダアダプタ１４０の位置をユーザにとって最適な位置に調整することが可能となる。
【００４８】
また、上述したカメラ装置１０においては、ショルダアダプタ１４０に前方向に突出するように設けられた棒状部分１２７を利用してマウントアダプタ１５０が支持されている。そのため、例えば、カメラ本体１１０にマウントアダプタ１５０を介して３板式の撮像部用のレンズ１６０を取り付ける構造にあって、比較的重いレンズ１６０をマウントアダプタ１５０のみで支えるのではなく支持部１５４ｆによっても支えるものであり、マウントアダプタ１５０の疲労、破損などを未然に防止することが可能となる。
【００４９】
また、上述したカメラ装置１０においては、マウントアダプタ１５０は、３板式の撮像部用のレンズ１６０から入射される光線をカメラ本体が持つ単板式の撮像部に導くレンズユニット１５３を有するものである。そして、このレンズユニット１５３は、単板式の撮像部のイメージセンサに焦点が結ぶように焦点距離を調整すること、そのイメージセンサに結像される像のサイズを調整すること、などの機能を持つものである。従って、例えば、単板式の撮像部を持つカメラ本体１１０において、３板式の撮像部用のレンズ１６０を良好に使用できる。
【００５０】
また、上述したカメラ装置１０においては、マウントアダプタ１５０はフィルタディスクユニット１５４を有するものである。そのため、このマウントアダプタ１５０において光量調整を良好に行うことができる。また、この場合、フィルタディスクユニット１５４はサーボモータ１５４ａで駆動されるターレット回転機構１５４ｂを備えるものであり、ユーザは、押しボタン１５４ｅを押圧するだけで容易にフィルタ１５４ｄを交換できる。つまり、ユーザは、簡単な操作で光量調整を適切に行うことができる。
【００５１】
＜２．変形例＞
なお、上述実施の形態においては、マウントアダプタ１５０がレンズユニット１５３の他にフィルタディスクユニット１５４を有するものを示した。しかし、光量調整をカメラ本体１１０側で十分に行い得る構成であれば、マウントアダプタ１５０にフィルタディスクユニット１５４を設ける必要はない。また、上述実施の形態においては、フィルタディスクユニット１５４がターレット回転機構を持つ構成とされているが、これに限定されるものでないことは勿論である。
【００５２】
また、本技術は、以下のような構成を取ることもできる。
（１）単板式の撮像部を持つカメラ本体と、
上記カメラ本体の上部にハンドルを取り付けるためのハンドル取付け部とを備え、
上記カメラ本体の前部のレンズマウント部には、マウントアダプタを介して３板式の撮像部用のレンズの取り付けが可能とされ、
上記ハンドル取り付け部は、上記カメラ本体の上部に、上記ハンドルを前後方向に移動可能に取り付ける
カメラ装置。
（２）上記ハンドル取り付け部は、上記ハンドルの上記前後方向の位置を任意の位置に固定するロック機構を有する
前記（１）に記載のカメラ装置。
（３）上記ハンドルは、ビューファインダを取り付けるためのビューファインダ取り付け部を有する
前記（１）または（２）に記載のカメラ装置。
（４）上記カメラ本体の下部にショルダアダプタを取り付けるためのショルダアダプタ取り付け部をさらに備え、
上記ショルダアダプタ取り付け部は、上記カメラ本体の下部に、上記ショルダアダプタを上記前後方向に移動可能に取り付ける
前記（１）から（３）のいずれかに記載のカメラ装置。
（５）上記ショルダアダプタに前方向に突出するように設けられた棒状部分を利用して上記マウントアダプタを支持する支持機構をさらに備える
前記（４）に記載のカメラ装置。
（６）上記マウントアダプタは、
上記３板式の撮像部用のレンズから入射される光線を上記カメラ本体が持つ上記単板式の撮像部に導くレンズユニットと、
上記光線の光量を調整するための所定種類のフィルタを持つフィルタディスクユニットを有する
前記（１）から（５）のいずれかに記載のカメラ装置。
（７）単板式の撮像部を持つカメラ本体の前部のレンズマウンド部に接続するための第１のマウント部と、
３板式の撮像部用のレンズを接続するための第２のマウント部と、
上記第２のマウント部に入射される光線を上記第１のマウント部から出射させるレンズユニットとを備える
マウントアダプタ。
（８）上記第２のマウント部に入射された光線の光量を調整するための所定種類のフィルタを持つフィルタディスクユニットをさらに備える
前記（７）に記載のマウントアダプタ。
（９）上記第１のマウント部はＦＺマウントであり、上記第２のマウントはＢ４マウントである
前記（７）または（８）に記載のマウントアダプタ。
（１０）単板式の撮像部を持つカメラ本体と、
３板式の撮像部用のレンズと、
上記カメラ本体と上記レンズとの間に介在されるマウントアダプタとを備える
カメラ装置。
【符号の説明】
【００５３】
１０・・・カメラ装置
１１０・・・カメラ本体
１１１・・・レンズマウント部
１２０・・・ハンドル
１２１・・・ハンドル取り付け部
１２２・・・棒状部材
１２３・・・ハンドルスライドロックレバー
１２４・・・Ｌ字部材
１２５・・・締め付け部
１２６・・・ショルダアダプタ取り付け部
１２７・・・棒状部材
１３０・・・ビューファインダ
１４０・・・ショルダアダプタ
１５０・・・マウントアダプタ
１５１・・・マウント部（第１のマウント部）
１５２・・・マウント部（第２のマウント部）
１５３・・・レンズユニット
１５４・・・フィルタディスクユニット
１５４ａ・・・サーボモータ
１５４ｂ・・・ターレット回転機構
１５４ｃ・・・ディスク
１５４ｄ・・・フィルタ
１５４ｅ・・・押しボタン
１５４ｆ・・・支持部
１５４ｇ・・・開口部
１６０・・・レンズ
１６１・・・グリップ部
【図１】
2014204255.tif 000003
【図２】
2014204255.tif 000004
【図３】
2014204255.tif 000005
【図４】
2014204255.tif 000006
【図５】
2014204255.tif 000007
【図６】
2014204255.tif 000008
【図７】
2014204255.tif 000009
【図９】
2014204255.tif 000010
【図１０】
2014204255.tif 000011
【図１１】
2014204255.tif 000012
【図１２】
2014204255.tif 000013
【図１３】
2014204255.tif 000014
【図１４】
2014204255.tif 000015
【図１５】
2014204255.tif 000016
【図８】
2014204255.tif 000017